(57)【要約】【課題】表示する情報の内容に適合した表示パスを任意に選択可能な表示切り替え制御機能をもつ情報機器および表示制御方法を提供する。【解決手段】ＥＣ／ＫＢＣ１１１は、表示切替ボタン１１５が操作される都度、表示切替スイッチ１０５を切り換え制御して、第１の表示コントローラ１０４Ａから出力されるＬＣＤ表示用の表示情報（内部処理情報）と、第２の表示コントローラ１０４Ｂから出力されるＬＣＤ表示用の表示情報（外部入力情報若しくは加工処理を施した内部処理情報）とを切り換えて表示部１０６に表示する。【選択図】    図１
2005338183.tif 000002
【特許請求の範囲】
【請求項１】
表示装置と、
前記表示装置を表示制御する第１、第２の表示コントローラと、
前記第１の表示コントローラで処理した表示情報を前記第２の表示コントローラを経由せずに前記表示装置に出力する第１のパスと、
前記第１の表示コントローラで処理した表示情報を前記第２の表示コントローラで加工処理して前記表示装置に出力する第２のパスと、
前記第１のパスと第２のパスとを切り換えて前記表示装置に表示する表示情報を切り換える制御手段と
を具備したことを特徴とする情報機器。
【請求項２】
外部より供給された映像信号が入力可能な外部入力端子と、
前記外部入力端子に入力された映像信号を前記第２のコントローラで前記表示装置に表示可能な表示情報に変換して前記表示装置に出力する第３のパスとをさらに具備し、
前記制御手段が前記第３のパスを含んで前記各パスを切り換える請求項１記載の情報機器。
【請求項３】
前記制御手段は、前記外部入力端子に前記映像信号が入力されたとき、その状態を認識して前記第３のパスを選択する手段をさらに具備する請求項２記載の情報機器。
【請求項４】
前記制御手段は、前記パスを切り換える操作スイッチと、前記操作スイッチが操作される度に、前記第１の表示コントローラを経由するパスと前記第１の表示コントローラを経由しないパスとを切り換える手段とをさらに具備する請求項２または３記載の情報機器。
【請求項５】
前記制御手段は、前記外部入力端子に前記映像信号が入力されたとき、その状態を認識して前記第３のパスを選択する自動切り換えモードと、前記操作スイッチの操作で前記第３のパスを選択する手動切り換えモードのいずれかを選択するモード設定手段を含む請求項４記載の情報機器。
【請求項６】
前記制御手段は、前記第１のパスを選択しているとき、前記第２の表示コントローラを非動作状態にする表示コントローラの制御手段をさらに具備する請求項１記載の情報機器。
【請求項７】
前記制御手段は、前記第１の表示コントローラにバスブリッジを介して接続される映像機器を制御対象に含み、前記映像機器の出力情報を前記表示部に表示するとき、所定の条件をもとに前記第２のパスを選択する手段をさらに具備する請求項１記載の情報機器。
【請求項８】
前記第１のパスと前記第３のパスはそれぞれ信号線を異にする請求項１記載の情報機器。
【請求項９】
表示装置と、前記表示装置を表示制御する第１、第２の表示コントローラとを具備する情報機器の表示制御方法であって、
前記第１の表示コントローラで処理した表示情報を前記第２の表示コントローラを経由せずに前記表示装置に表示する第１の表示モードと、前記第１の表示コントローラで処理した表示情報を前記第２の表示コントローラで加工処理して前記表示装置に表示する第２の表示モードとを切り換えて前記表示装置に表示される表示情報を切り換えることを特徴とする情報機器の表示制御方法。
【請求項１０】
前記情報機器は外部より供給された映像信号が入力可能な外部入力端子をさらに具備し、前記外部入力端子に入力された映像信号を前記第２のコントローラで前記表示装置に表示可能な表示情報に変換して前記表示装置に表示する第３の表示モードを含んで前記各表示モードを切り換える請求項９記載の表示制御方法。
【請求項１１】
前記外部入力端子に前記映像信号が入力されたとき、その状態を認識して、前記第３の表示モードを選択する制御手順を含む請求項１０記載の表示制御方法。
【請求項１２】
前記情報機器は前記パスを切り換える操作スイッチをさらに具備し、前記操作スイッチが操作される度に、前記第１の表示コントローラを経由するパスを用いた表示モードと、前記第１の表示コントローラを経由しないパスを用いた表示モードとを切り換える制御手順を含む請求項１０または１１記載の表示制御方法。
【請求項１３】
前記外部入力端子に前記映像信号が入力されたとき、その状態を認識して前記第３の表示モードを選択する自動切り換えモードと、前記操作スイッチを用いて前記第３の表示モードを選択する手動切り換えモードとを設定する手順を含み、前記設定に従い前記各表示モードを切り換える請求項１２記載の表示制御方法。
【請求項１４】
前記第１の表示モードを選択しているとき、前記第２の表示コントローラを非動作状態にする請求項９記載の表示制御方法。
【請求項１５】
前記情報機器は前記第１の表示コントローラにバスブリッジを介して接続される映像機器を有し、前記映像機器の出力情報を前記表示部に表示するとき、所定の表示条件のもとに前記第２の表示モードを選択する制御手順を含む請求項９記載の表示制御方法。
【発明の詳細な説明】
【技術分野】
【０００１】
本発明は表示部を備えた情報機器および同機器の表示制御方法に関する。
【背景技術】
【０００２】
近年、外部より提供されるテレビジョン（ＴＶ）放送等の番組情報、外部の映像再生機器より提供される動画情報等の各種オーディオ・ビジュアル（ＡＶ）情報を鑑賞するＡＶ情報の鑑賞機能を備えたパーソナルコンピュータが広く普及している。
【特許文献１】特開２００３−１９５８４４号公報
【発明の開示】
【発明が解決しようとする課題】
【０００３】
この種、パーソナルコンピュータに於いては、オペレーティングシステム（ＯＳ）の管理、制御のもとに上記ＡＶ情報の鑑賞機能を駆動制御するシステム構成と、ＯＳを起動させずにＡＶ機能を独立して起動させるシステム構成とが存在する。
【０００４】
ＯＳ制御のもとにＡＶ情報の鑑賞機能を駆動制御するシステム構成に於いては、ＡＶ情報を鑑賞する際に、ＯＳの起動完了を待たなければならないという問題があった。またＯＳを起動させずにＡＶ機能を独立して起動させるシステム構成に於いては、ＡＶ機能を独立して動作させるため、装置全体の構成が煩雑になり、かつ経済的に不利な構成になるという問題があった。また、上記した何れのシステム構成に於いても、内部で処理した画像に例えば画質を改善するための加工を施す表示制御機能を設ける際は、表示部と、この表示部を表示制御する表示コントローラとの間に、上記画質を改善するための加工を施す表示制御手段を介在させていた。しかしながらこの構成は表示コントローラで生成した画像データを上記画質を改善するための加工を施す表示制御手段を介さずに表示部に表示する場合に、上記表示制御手段の機能をすべて無効化する設定手段が必要となり、このための制御が煩雑になる等の問題があった。また、上記した何れのシステム構成に於いても、ユーザの簡単な操作で、外部から入力された映像情報を鑑賞する表示環境と、ＣＰＵの処理が介在するデータ表示を伴う処理作業環境とを任意に切り換えることができないという問題があった。
【０００５】
本発明は上記実情に鑑みなされたもので、表示する情報の内容に適合した表示パスを任意に選択可能な表示切り替え制御機能をもつ情報機器および表示制御方法を提供することを目的とする。
【課題を解決するための手段】
【０００６】
本発明は、表示装置と、前記表示装置を表示制御する第１、第２の表示コントローラと、前記第１の表示コントローラで処理した表示情報を前記第２の表示コントローラを経由せずに前記表示装置に出力する第１のパスと、前記第１の表示コントローラで処理した表示情報を前記第２の表示コントローラで加工処理して前記表示装置に出力する第２のパスと、前記第１のパスと第２のパスとを切り換えて前記表示装置に表示する表示情報を切り換える制御手段とを具備した情報機器を特徴とする。
【０００７】
また本発明は、前記情報機器に於いて、外部より供給された映像信号が入力可能な外部入力端子と、前記外部入力端子に入力された映像信号を前記第２のコントローラで前記表示装置に表示可能な表示情報に変換して前記表示装置に出力する第３のパスとをさらに具備し、前記制御手段が前記第３のパスを含んで前記各パスを切り換えることを特徴とする。
【０００８】
また本発明は、表示装置と、前記表示装置を表示制御する第１、第２の表示コントローラとを具備する情報機器の表示制御方法であって、前記第１の表示コントローラで処理した表示情報を前記第２の表示コントローラを経由せずに前記表示装置に表示する第１の表示モードと、前記第１の表示コントローラで処理した表示情報を前記第２の表示コントローラで加工処理して前記表示装置に表示する第２の表示モードとを切り換えて前記表示装置に表示される表示情報を切り換えることを特徴とする。
【発明の効果】
【０００９】
内部で処理した情報を表示部に表示する表示コントローラに加えて、画質の改善機能を有する表示コントローラを具備した構成に於いて、表示する情報の内容に適合した表示パスおよび表示モードをユーザ操作を含めて任意に選択でき、これにより、機器内部に設けたＣＰＵの処理が介在するデータ表示を伴う作業表示環境、内部で処理した映像情報を鑑賞する表示環境、外部から入力された映像情報を鑑賞する表示環境等、各種の表示環境に応じた最適な表示処理が可能になる。また画質の改善機能を有する表示コントローラの外部入力端子を含む表示パスを機器内部のバス構成および他の表示パスから切り離すことができるため、コピーガード機能を高めることができるとともに、画質の改善機能を有する表示コントローラを、選択された表示パスに応じて動作／非動作制御でき、省電力化を図ることが可能となる。
【発明を実施するための最良の形態】
【００１０】
以下図面を参照して本発明の実施形態を説明する。
【００１１】
まず図１を参照して、本発明の実施形態に係る情報機器について説明する。この情報機器は、例えばノートブック型パーソナルコンピュータとして実現される。
【００１２】
図１は情報機器１のディスプレイユニット３を機器本体２に対して開いた状態を示す正面図である。情報機器１は機器本体２とディスプレイユニット３とから構成される。ディスプレイユニット３には、例えばＬＣＤ（Liquid Crystal Display）を用いた表示部１０６が表示面を露出した状態でディスプレイユニット３のほぼ中央に組み込まれている。ディスプレイユニット３は、機器本体２に対して開放位置と閉塞位置との間を回動自在に取り付けられている。
【００１３】
機器本体２は略箱形の形状を有しており、機器本体２の側面には、機器本体２に内蔵されたＤＶＤプレーヤ１２２のメディア挿抜口、外部の映像信号が入力可能なビデオ入力端子（コンポジット信号入力端子）１３０等が設けられている。さらに機器本体２の側面には符号を付さないがＵＳＢコネクタ、ビデオ出力コネクタ、ＩＥＥＥ１３９４コネクタ、ＰＣカードスロット、ＳＤカードスロット等が設けられている。また、機器本体２の上面にはキーボードユニット１１２、情報機器１の電源をオン／オフするためのパワーボタン１１４、表示部１０６に表示する表示情報を切り換える（パスおよび表示モードを切り換える）表示切替ボタン１１５等が設けられている。この表示切替ボタン１１５は、機器内部で処理した内部処理情報と、ビデオ入力端子１３０に入力された外部入力情報（コンポジット信号から生成した映像情報）の表示とを切り換えて上記表示部１０６に表示する際に、その都度、操作される。さらに機器本体２の上面には符号を付さないがスピーカ、タッチパッド、左ボタン、右ボタン等が設けられている。また、機器本体２の前面には符号を付さないが機器本体２に内蔵されたＤＶＤプレーヤ１２２にセットされたメディア（ディスク）に記憶されているＡＶコンテンツの再生を指示するＡＶ再生スイッチ、ボリュームダイヤル等が設けられている。
【００１４】
次に図２を参照して、本発明の実施形態に係る情報機器１のシステム構成について説明する。
【００１５】
情報機器１は、ＣＰＵ１０１、ノースブリッジ１０２およびサウスブリッジ１０７、主メモリ１０３、ＢＩＯＳ−ＲＯＭ１１０、第１の表示コントローラ１０４Ａ、第２の表示コントローラ１０４Ｂ、表示切替スイッチ１０５、表示部（ＬＣＤ）１０６、ハードディスクドライブ装置（ＨＤＤ）１０８、ＢＩＯＳ−ＲＯＭ１１０、エンベデッドコントローラ／キーボードコントローラ（ＥＣ／ＫＢＣ）１１１、キーボードユニット（ＫＢ）１１２、パワーボタン１１４、表示切替ボタン１１５、テレビジョン（ＴＶ）チューナ１２１、ＤＶＤプレーヤ１２２、ビデオ入力端子（コンポジット信号入力端子）１３０等の各種構成要素を有して構成される。
【００１６】
ＣＰＵ１０１は、本実施の形態に係る情報機器の動作を制御するために設けられたプロセッサであり、外部記憶装置であるハードディスクドライブ１０６から主メモリ１０３にロードされたオペレーティングシステム（ＯＳ）および各種アプリケーション／ユーティリティプログラムを実行する。また、ＣＰＵ１０１は、ＢＩＯＳ−ＲＯＭ１１０に格納されたＢＩＯＳ（Basic Input Output System）を実行する。
【００１７】
ノースブリッジ１０２はＣＰＵ１０１のローカルバスとサウスブリッジ１０７との間を接続するブリッジデバイスである。ノースブリッジ１０２には、主メモリ１０３をアクセス制御するメモリコントローラが内蔵されている。また、ノースブリッジ１０２には第１の表示コントローラ１０４Ａが接続されている。
【００１８】
主メモリ１０３には、ＣＰＵ１０１により実行される、オペレーティングシステム（ＯＳ）、および各種のアプリケーションプログラム、ユーティリティプログラム等が格納される。例えば本実施の形態に係る情報機器のユーザインタフェースの一部を担う、ビデオ入力端子１３０に入力された外部入力情報（コンポジット信号から生成した映像情報）の表示について当該表示の自動切替／手動切替の設定を行うユーティリティプログラム、あるいは所定設定条件下での表示（例えばＤＶＤ映像のフルスクリーンモードでの表示）に関して、当該表示の際に第１の表示コントローラ１０４Ａで処理した表示画像を第２の表示コントローラ１０４Ｂで予め設定された加工処理（例えば輪郭補正、輝度補正、色調補正、ノイズリダクション、動き補正等の画像処理）を施して表示部１０６に出力する際の設定並びにその設定に伴う制御機能等を実現する制御プログラム等、各種のプログラムが格納される。
【００１９】
第１の表示コントローラ１０４Ａは、表示部１０６に表示される、内部で処理した（ＣＰＵ１０１で処理した）情報（内部処理情報）の表示出力制御を行う。また、第１の表示コントローラ１０４Ａには、機器内部のシステムバスとは切り離された専用の信号線１３１を介して第２の表示コントローラ１０４Ｂが接続される。
【００２０】
この第２の表示コントローラ１０４Ｂは、専用信号線１３１を介して第１の表示コントローラ１０４Ａから受けた表示情報に、例えば輪郭補正、動き補正処理等の加工処理（画像処理）を施して出力する処理機能と、ビデオ入力端子１３０に入力された外部の映像信号（コンポジット信号）をＬＣＤ表示用の表示情報に変換して出力する処理機能をもつ。また第２の表示コントローラ１０４Ｂは、上記ビデオ入力端子１３０に、外部から映像信号（コンポジット信号）が入力されると、その信号入力を検知して、当該入力された映像信号（コンポジット信号）をＬＣＤ表示用の表示情報に変換して出力する処理機能をもつ。また第２の表示コントローラ１０４Ｂは上記信号入力の検知状態をＢＩＯＳを介してエンベデッドコントローラ／キーボードコントローラ１１１に通知する機能をもつ。さらに第２の表示コントローラ１０４Ｂは、第１の表示コントローラ１０４Ａから受けた表示情報（内部処理情報）に所定の加工処理（画像処理）を施して出力している際に、外部からの映像信号（コンポジット信号）入力を検知すると、上記内部処理情報に優先して、上記ビデオ入力端子１３０に入力された映像信号（コンポジット信号）をＬＣＤ表示用の表示情報に変換して出力する機能をもつ。この機能の有効／無効設定が、上述したように、外部入力情報の表示についての自動切替／手動切替の設定を行うユーティリティプログラムによって行われ、その自動切替／手動切替の設定で自動切替が設定されているとき、上記外部入力信号の検知により、エンベデッドコントローラ／キーボードコントローラ１１１が表示切替制御信号により表示切替スイッチ１０５を切り換え制御する。
【００２１】
上記第１の表示コントローラ１０４Ａから出力されるＬＣＤ表示用の表示情報（内部処理情報）と、上記第２の表示コントローラ１０４Ｂから出力されるＬＣＤ表示用の表示情報（外部入力情報若しくは加工処理を施した内部処理情報）は、それぞれ表示切替スイッチ１０５に入力される。
【００２２】
表示切替スイッチ１０５は、エンベデッドコントローラ／キーボードコントローラ１１１が生成する表示切替制御信号に従い、上記第１の表示コントローラ１０４Ａから出力されるＬＣＤ表示用の表示情報（内部処理情報）と、上記第２の表示コントローラ１０４Ｂから出力されるＬＣＤ表示用の表示情報（外部入力情報若しくは加工処理を施した内部処理情報）とを切替対象に、そのいずれかの表示情報を選択して表示部１０６に供給する。
【００２３】
この表示切替スイッチ１０５の入力切り換えにより、第１の表示コントローラ１０４Ａで処理した表示情報を第２の表示コントローラ１０４Ｂを経由せずに表示部１０６に出力するパスと、第１の表示コントローラ１０４Ａで処理した表示情報を第２の表示コントローラ１０４Ｂで加工処理して表示部１０６に出力するパスと、ビデオ入力端子１３０に入力された映像信号（コンポジット信号）を第２の表示コントローラ１０４ＢでＬＣＤ表示用の表示情報に変換して表示部１０６に出力するパスとを対象に一つのパスを選択する機能が実現される。この際の各パス並びにパスの切り換え制御については図３および図４を参照して後述する。表示部１０６は上記表示切替スイッチ１０５から供給された表示情報をＬＣＤ画面上に表示出力する。
【００２４】
サウスブリッジ１０７はノースブリッジ１０２に接続されるブリッジデバイスである。サウスブリッジ１０７には、ハードディスクドライブ装置（ＨＤＤ）１０８、ＢＩＯＳ−ＲＯＭ１１０、エンベデッドコントローラ／キーボードコントローラ１１１、テレビジョン（ＴＶ）チューナ１２１、ＤＶＤプレーヤ１２２等が接続される。
【００２５】
ハードディスクドライブ装置（ＨＤＤ）１０８には、ＯＳ、デバイスドライバ、実行対象のアプリケーションプログラム、アプリケーションプログラムを実行することで生成されるデータ等が記憶されている。ハードディスクドライブ装置（ＨＤＤ）１０８に記憶されている情報は、ＣＰＵ１０１のプログラム処理に対し必要に応じて主メモリ１０３に転送され、ＣＰＵ１０１の処理に供される。
【００２６】
ＢＩＯＳ−ＲＯＭ１１０には、ＣＰＵ１０１により実行されるＢＩＯＳが格納される。ＢＩＯＳの表示制御ルーチンには、上記したユーティリティプログラムにより設定された、ビデオ入力端子１３０に入力された外部入力情報（コンポジット信号）に対して、その表示切り換えを手動で行うか自動で行うかを設定した外部入力表示（外部モニタ表示）の自動切替／手動切替の設定情報を取得する（読み込む）処理ステップと、その取得した自動切替／手動切替の設定内容をエンベデッドコントローラ／キーボードコントローラ１１１に通知する処理ステップが含まれる。
【００２７】
エンベデッドコントローラ／キーボードコントローラ１１１は、電力管理を含む周辺の機能回路を制御するエンベデッドコントローラと、キーボードユニット１１２を制御するためのキーボードコントローラとが集積された１チップマイクロコンピュータである。このエンベデッドコントローラ／キーボードコントローラ１１１には、キーボードユニット１１２、パワーボタン１１４等の構成要素に加えて、本発明に係る表示切り換え制御を実現するための構成要素となる表示切替スイッチ１０５、および表示切替ボタン１１５が接続される。エンベデッドコントローラ／キーボードコントローラ１１１は、ＢＩＯＳから通知された自動切替／手動切替の設定情報と、表示切替ボタン１１５の操作信号とをもとに、表示切替スイッチ１０５を切り換え制御する。例えば、表示切替スイッチ１０５が第１の表示コントローラ１０４Ａから出力されるＬＣＤ表示用の表示情報（内部処理情報）を選択して、当該内部処理情報が表示部１０６に表示されている際に、第２の表示コントローラ１０４Ｂから、ビデオ入力端子１３０に映像信号（コンポジット信号）が入力された旨の検知信号を受けると、ＢＩＯＳから通知された自動切替／手動切替の設定内容が自動切替であるか手動切替であるかを調べ、自動切替であれば、表示切替制御信号により表示切替ボタン１１５を切り換え制御して、上記第１の表示コントローラ１０４Ａから出力されるＬＣＤ表示用の表示情報（内部処理情報）に代え、第２の表示コントローラ１０４Ｂから出力されるＬＣＤ表示用の表示情報（外部入力情報）を表示部１０６に表示出力制御する。また、上記設定内容が手動切替である際は、上記信号検知タイミングでの表示切り換えは行わず、表示切替ボタン１１５の操作信号に従い、当該ボタン操作の都度、表示切替スイッチ１０５を切り換え制御して、上記第１の表示コントローラ１０４Ａから出力されるＬＣＤ表示用の表示情報（内部処理情報）と、上記第２の表示コントローラ１０４Ｂから出力されるＬＣＤ表示用の表示情報（外部入力情報若しくは加工処理を施した内部処理情報）とを切り換えて表示部１０６に表示する。この際の表示切り換え処理については図５乃至図７に示すフローチャートを参照して後述する。
【００２８】
またエンベデッドコントローラ／キーボードコントローラ１１１は、ユーザによるパワーボタン１１４の操作に応じて情報機器１をパワーオン／パワーオフする。パワーボタン１１４は情報機器１を構成する、例えばＣＰＵ１０１、メモリ１０３といったデバイス群に対して電源供給制御を行い、その後ＯＳを起動するために設けられる。ユーザがパワーボタン１１４を押下するとデバイス群に電源が供給され、その後、ＣＰＵ１０１がＢＩＯＳ−ＲＯＭ１１０に設けられるＢＩＯＳのシステム起動処理ルーチンを実行することでＯＳを起動させる。ＣＰＵ１０１が初期化処理ルーチンを実行する際、該初期化処理ルーチン中の例えばＰＯＳＴ（Power On Self Test）の結果等がＬＣＤ１０６に表示される。
【００２９】
ＴＶチューナ１２１はサウスブリッジ１０７に例えばＵＳＢインタフェースを介して接続される。ＴＶチューナ１２１は、図示しないリモートコントローラまたはＬＡＮ経由のパーソナルコンピュータ等から視聴要求されたチャンネルのＴＶ放送番組データ（コンテンツ）を受信する。ＴＶ放送番組データは内蔵のＮＴＳＣデコーダおよびＭＰＥＧエンコーダを介して圧縮符号化されたＴＶ放送番組データに変換される。ユーザがＴＶ放送番組データを視聴する場合、圧縮符号化されたＴＶ番組データは内蔵のＭＰＥＧデコーダによって復号化され、さらに復号化されたＴＶ番組データはＬＣＤ１０６に表示される。一方、ＴＶ放送番組データをビデオ録画する場合、ＭＰＥＧエンコーダによって圧縮符号化されたＴＶ放送番組データをハードディスクドライブ装置（ＨＤＤ）１０８に記憶させる。またサウスブリッジ１０７に接続されたＤＶＤプレーヤ１２２はセット（装填）されたＤＶＤディスクに記憶されているコンテンツの再生等を行う。
【００３０】
図３および図４を参照して上記した各パスの構成並びに切り換え処理について説明する。図３は本発明の上記実施形態に係る表示切り替え制御の対象となる３つのパスを示し、図４は上記パスを形成する各部の状態を示す。
【００３１】
ここでは第１の表示コントローラ１０４Ａで処理した表示情報を第２の表示コントローラ１０４Ｂを経由せずに表示部１０６に出力するパスをパス［Ａ］、第１の表示コントローラ１０４Ａで処理した表示情報を第２の表示コントローラ１０４Ｂで加工処理して表示部１０６に出力するパスをパス［Ｂ］、ビデオ入力端子１３０に入力された映像信号（コンポジット信号）を第２の表示コントローラ１０４ＢでＬＣＤ表示用の表示情報に変換して表示部１０６に出力するパスをパス［Ｃ］と称している。またパス［Ａ］による表示処理を表示モード［Ａ］、パス［Ｂ］による表示処理を表示モード［Ｂ］、パス［Ｃ］による表示処理を表示モード［Ｃ］と称している。この表示モード切り換え（パスの切り換え）は、エンベデッドコントローラ／キーボードコントローラ１１１が、図４に示すように、第２の表示コントローラ１０４Ｂの動作／非動作並びに入力ポート（Ｐ１，Ｐ２）の切り換え制御と、表示切替スイッチ１０５の入力ポート（Ｑ１，Ｑ２）の切り換え制御を行うことにより行われる。ここでは、パス［Ａ］が選択されると、表示切替スイッチ１０５の入力ポートＱ１が有効（スイッチオン）、Ｑ２が無効（スイッチオフ）、第２の表示コントローラ１０４Ｂが非動作状態となり、第１の表示コントローラ１０４Ａから出力される表示情報が第２の表示コントローラ１０４Ｂを経由せず、表示切替スイッチ１０５の入力ポート（Ｑ１）および出力ポートを介してそのまま表示部１０６に出力される。またパス［Ｂ］が選択されると、表示切替スイッチ１０５の入力ポートＱ１が無効、Ｑ２が有効、第２の表示コントローラ１０４Ｂが動作状態、第２の表示コントローラ１０４Ｂの入力ポートＰ１が有効、Ｐ２が無効となり、第１の表示コントローラ１０４Ａから出力される表示情報が第２の表示コントローラ１０４Ｂを経由して表示切替スイッチ１０５の入力ポート（Ｑ２）および出力ポートを介し表示部１０６に出力される。またパス［Ｃ］が選択されると、表示切替スイッチ１０５の入力ポートＱ１が無効、Ｑ２が有効、第２の表示コントローラ１０４Ｂが動作状態、第２の表示コントローラ１０４Ｂの入力ポートＰ１が無効、Ｐ２が有効となり、ビデオ入力端子１３０に入力された映像信号（コンポジット信号）が第２の表示コントローラ１０４ＢでＬＣＤ表示用の情報に変換されて表示切替スイッチ１０５の入力ポート（Ｑ２）および出力ポートを介し表示部１０６に出力される。
【００３２】
このようにして、表示切替スイッチ１０５は、エンベデッドコントローラ／キーボードコントローラ１１１が生成する表示切替制御信号に従い、パスを切り換えて、上記第１の表示コントローラ１０４Ａから出力されるＬＣＤ表示用の表示情報（内部処理情報）と、上記第２の表示コントローラ１０４Ｂから出力されるＬＣＤ表示用の表示情報（外部入力情報若しくは加工処理を施した内部処理情報）とを切替対象に、そのいずれかの表示情報を選択して表示部１０６に出力する。尚、表示モード［Ａ］［Ｂ］の切り換えは、例えばユーザの指示に従うアプリケーション（ソフトウェア）の選択指示に従いＢＩＯＳ経由でエンベデッドコントローラ／キーボードコントローラ１１１の制御により行われるもので、その具体例については図５に示すフローチャートを参照して後述する。
【００３３】
図５乃至図７に上記各表示モード（パス）の切り換え処理手順をフローチャートで示している。
【００３４】
図５は表示モード（パス）［Ａ］から表示モード（パス）［Ｂ］への切り換え処理手順を示している。この表示モード［Ａ］の状態では、ＣＰＵ１０１の処理が介在するデータ表示を伴う、例えば文章入力処理、編集処理等のＰＣ本来の処理作業を行う操作画面等が表示部１０６に表示されている。この際、表示切替スイッチ１０５の入力ポートＱ１は有効、Ｑ２は無効、第２の表示コントローラ１０４Ｂは非動作状態となっている。
【００３５】
ここで、ユーザが例えばＤＶＤプレーヤ１２２に映画鑑賞用のメディア（再生用ディスク）をセットして、フルスクリーンモードでＤＶＤ再生を指示すると、ＤＶＤ再生のためのアプリケーション（ＤＶＤ再生プログラム）がユーザの指示した条件を解釈して、画質を改善する表示モード、即ち表示モード［Ｂ］の選択指示を表示ドライバ経由でＢＩＯＳに通知する（図５ステップＳ１１〜Ｓ１４）。
【００３６】
ＢＩＯＳは表示ドライバを介して受けた通知の内容に従う、表示モード［Ｂ］の選択指示をエンベデッドコントローラ／キーボードコントローラ１１１に通知する（図５ステップＳ１５）。
【００３７】
エンベデッドコントローラ／キーボードコントローラ１１１はＢＩＯＳから受けた選択指示に従い、第２の表示コントローラ１０４Ｂ、および表示切替スイッチ１０５を切り換え制御して、表示モード（パス）を表示モード［Ａ］から表示モード［Ｂ］に切り換える（図５ステップＳ１６）。この表示モードの切り換えは、エンベデッドコントローラ／キーボードコントローラ１１１が表示切替スイッチ１０５の入力ポートＱ１を無効、Ｑ２を有効、第２の表示コントローラ１０４Ｂを動作状態、第２の表示コントローラ１０４Ｂの入力ポートＰ１を有効、Ｐ２を無効に切り換え制御する（図５ステップＳ１６１〜Ｓ１６３）。この切り換え処理については上記図３および図４を参照して既に説明したので、ここでは説明を省略する。
【００３８】
このようにして表示モード［Ｂ］に切り替わった状態で、ユーザの再生終了、停止等の指示入力があった場合、その旨が上記図５のステップＳＳ１１〜Ｓ１５の経路でエンベデッドコントローラ／キーボードコントローラ１１１に通知され、エンベデッドコントローラ／キーボードコントローラ１１１の切り換え制御で表示モード［Ｂ］から表示モード［Ａ］への切り換えが行われる。この際、エンベデッドコントローラ／キーボードコントローラ１１１は表示モード［Ｂ］の状態で上記表示切替ボタン１１５の操作による表示切り換えの通知を受けると、第２の表示コントローラ１０４Ｂを動作状態から非動作状態に切り換えて、表示切替スイッチ１０５の有効入力ポートをＱ２からＱ１に切り換える。これによって表示モードが［Ｂ］から［Ａ］に切り替わる。
【００３９】
以上の表示切り換え処理はエンベデッドコントローラ／キーボードコントローラ１１１がＢＩＯＳ（アプリケーション）からの通知に従う切り換え処理であった。
【００４０】
次に、エンベデッドコントローラ／キーボードコントローラ１１１が表示切替ボタン１１５の操作により表示切替を行う処理についてその処理手順を説明する。
【００４１】
表示モードが［Ｂ］の状態で表示切替ボタン１１５が操作されると、エンベデッドコントローラ／キーボードコントローラ１１１は、上記表示切替ボタン１１５から操作の通知を受ける度に、第２の表示コントローラ１０４Ｂの有効入力ポートをＰ１からＰ２に、あるいはＰ２からＰ１に切り換える。これにより、表示モードが［Ｂ］から［Ｃ］に、あるいは［Ｃ］から［Ｂ］に切り替わる。
【００４２】
次に、表示モード［Ａ］と［Ｃ］の切替動作について説明する。
【００４３】
図６は表示モード（パス）［Ａ］から表示モード（パス）［Ｃ］への切り換え処理手順を示している。この際は、表示モード（パス）が［Ａ］にあるとき、ユーザが表示切替ボタン１１５を操作すると、この表示切替ボタン１１５の操作がエンベデッドコントローラ／キーボードコントローラ１１１に通知される（図６ステップＳ２１）。
【００４４】
エンベデッドコントローラ／キーボードコントローラ１１１は表示モード［Ａ］の状態で上記表示切替ボタン１１５の操作による表示切り換えの通知を受けると、第２の表示コントローラ１０４Ｂを非動作状態から動作状態に切り換えて（Ｓ２２１）、ＢＩＯＳからの通知で有効にしていた入力ポートＰ１をＰ２に切り換え（Ｓ２２２）、表示切替スイッチ１０５の有効入力ポートをＱ１からＱ２に切り換える（Ｓ２２３）。これにより、表示モードが［Ａ］から［Ｃ］に切り替わる。
【００４５】
図７は表示モード（パス）［Ｃ］から表示モード（パス）［Ａ］への切り換え処理手順を示している。この際は、表示モード（パス）が［Ｃ］にあるとき、ユーザが表示切替ボタン１１５を操作すると、この表示切替ボタン１１５の操作がエンベデッドコントローラ／キーボードコントローラ１１１に通知される（図６ステップＳ２１）。
【００４６】
エンベデッドコントローラ／キーボードコントローラ１１１は表示モード［Ｃ］の状態で上記表示切替ボタン１１５の操作による表示切り換えの通知を受けると、第２の表示コントローラ１０４Ｂを動作状態から非動作状態に切り換えて（Ｓ２３１）、表示切替スイッチ１０５の有効入力ポートをＱ２からＱ１に切り換える（Ｓ２３２）。
【００４７】
このように、内部で処理した情報を表示部に表示する表示コントローラに加えて、画質の改善機能を有する表示コントローラを具備した構成に於いて、表示する情報の内容に適合した表示パスおよび表示モードをユーザ操作を含めて任意に選択でき、これにより、機器内部に設けたＣＰＵの処理が介在するデータ表示を伴う作業表示環境、内部で処理した映像情報を鑑賞する表示環境、外部から入力された映像情報を鑑賞する表示環境等、各種の表示環境に応じた最適な表示処理が可能になる。また画質の改善機能を有する表示コントローラの外部入力端子を含む表示パスを機器内部のバス構成および他の表示パスから切り離すことができるため、コピーガード機能を高めることができるとともに、画質の改善機能を有する表示コントローラを、選択された表示パスに応じて動作／非動作制御でき、省電力化を図ることが可能となる。
【００４８】
尚、本発明は上記実施形態に限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４９】
【図１】本発明の実施形態に係る情報機器の外観構成を示す斜視図。
【図２】上記実施形態に係る情報機器の内部構成を示すブロック図。
【図３】上記実施形態に係るパスの構成並びに切り換え処理を説明するための図。
【図４】上記実施形態に係るパスの構成並びに切り換え処理を説明するための図。
【図５】上記実施形態に係るパスおよび表示モードの切り換え処理手順を示すフローチャート。
【図６】上記実施形態に係るパスおよび表示モードの切り換え処理手順を示すフローチャート。
【図７】上記実施形態に係るパスおよび表示モードの切り換え処理手順を示すフローチャート。
【符号の説明】
【００５０】
１…情報機器、２…機器本体、３…ディスプレイユニット、１０１…ＣＰＵ、１０２…ノースブリッジ、１０３…主メモリ、１０４Ａ…第１の表示コントローラ、１０４Ｂ…第２の表示コントローラ、１０５…表示切替スイッチ、１０６…表示部（ＬＣＤ）、１０７…サウスブリッジ、１０８…ハードディスクドライブ装置（ＨＤＤ）、１１０…ＢＩＯＳ−ＲＯＭ、１１１…エンベデッドコントローラ／キーボードコントローラ（ＥＣ／ＫＢＣ）、１１２…キーボードユニット（ＫＢ）、１１４…パワーボタン、１１５…表示切替ボタン、１２１…テレビジョン（ＴＶ）チューナ、１２２…ＤＶＤプレーヤ、１３０…ビデオ入力端子（コンポジット信号入力端子）。
【図１】
2005338183.tif 000003
【図２】
2005338183.tif 000004
【図３】
2005338183.tif 000005
【図４】
2005338183.tif 000006
【図５】
2005338183.tif 000007
【図６】
2005338183.tif 000008
【図７】
2005338183.tif 000009